(57)【要約】      （修正有）【課題】学習用途等の机の天板に埋設したタッチパネルを備えた情報処理装置に関して、学習机に座って情報処理装置を電源オンにしたままで机に顔などを伏せて居眠りをする場合の低温火傷を防止する。【解決手段】入力操作を受け付けるタッチパネル２０１を含む表示部と、前記表示部に電力供給する電源部２０４と、前記タッチパネル２０１への接触面積が所定以上かつ接触時間が第１の所定時間以上で第２の所定時間以下の場合に、前記表示部に警報メッセージを表示する制御を行い、前記タッチパネル２０１への接触面積が所定以上かつ接触時間が第２の所定時間より大きい場合には、前記電源部２０４の前記表示部での表示をオフする制御を行う制御部２０３と、を備える。【選択図】図２
2014067345.tif 000002
【特許請求の範囲】
【請求項１】
入力操作を受け付けるタッチパネルを含む表示部と、
前記表示部に電力供給する電源部と、
前記タッチパネルへの接触面積が所定以上かつ接触時間が第１の所定時間以上で第２の所定時間以下の場合に、前記表示部に警報メッセージを表示する制御を行い、
前記タッチパネルへの接触面積が所定以上かつ接触時間が第２の所定時間より大きい場合には、前記電源部の前記表示部での表示をオフする制御を行う制御部と、
を備えた情報処理装置。
【請求項２】
前記制御部は、
前記タッチパネルへの接触面積が所定以上かつ接触時間が第２の所定時間より大きい場合には、前記電源部をオフする制御を行う、請求項１記載の情報処理装置。
【請求項３】
前記制御部は、前記タッチパネルへの接触面積が所定以上かつ接触時間が第２の所定時間より大きい場合には、前記電源部の前記表示部での前記タッチパネルの押下されている部分の表示をオフする制御を行う、請求項１記載の情報処理装置。
【発明の詳細な説明】
【技術分野】
【０００１】
本発明は、学習用途等の机の天板に埋設したタッチパネルを備えた情報処理装置に関するものである。
【背景技術】
【０００２】
近年、小学校の中学年から学校の授業の中でコンピュータの操作を学習するようになってきている。この普及に注目して出願人は、学習用途での利用を促進すべく学習机の天板にタッチパネルを備えた情報処理装置の開発を検討している。
【０００３】
出願人は、この情報処理装置を開発するにあたり、学習机を使用するのは主に小学生や中学生であり、学習机に座って情報処理装置を電源オンにしたままで机に顔などを伏せて居眠りをする場合に低温火傷のおそれがあることに着目した。
【０００４】
低温火傷を防止する技術として、特許文献１は、電子部品の発熱によって変化する表面温度を表示するとともに、ユーザーに注意を促す携帯機器が開示されている。
【０００５】
さらに特許文献２は、ポケットの中に入れて持ち歩いているときに低温火傷の危険性があることがユーザーに分かるように通知される携帯電子機器であって、タイマーを作動させて所定の時刻ごとに温度センサーで温度を測定し、タイマー値と温度センサーで測定した温度とを用いて温度上昇速度を算出する。この温度上昇速度と、テーブル内の温度上昇カーブとを比較して密閉環境下にあって温度が上昇して低温火傷のおそれがあるかどうかを判定し、おそれがあると判定したらバイブレータを駆動して筐体を振動させる構成が開示されている。
【先行技術文献】
【特許文献】
【０００６】
【特許文献１】特開２００７−７４０９５号公報
【特許文献２】特開２００９−８９０３９号公報
【発明の概要】
【発明が解決しようとする課題】
【０００７】
しかしながら、上記の先行技術文献には、携帯機器における低温火傷のおそれを防止する構成は開示されているが、この構成を用いても机の天板に埋設したタッチパネルを備えた情報処理装置において、ユーザーが学習机に座って情報処理装置を電源オンにしたままで机に顔などを伏せて居眠りをする場合の低温火傷を防止することはできない。
【０００８】
本発明は、上記課題を解決するためになされたもので、机の天板に埋設したタッチパネルを備えた情報処理装置において、机に座って情報処理装置の電源をオンにしたままで机に顔などを伏せて居眠りをする場合に低温火傷を防止する情報処理装置を提供することを目的とする。
【課題を解決するための手段】
【０００９】
上記課題を解決するために本発明の情報処理装置は、入力操作を受け付けるタッチパネルを含む表示部と、前記表示部に電力供給する電源部と、前記タッチパネルへの接触面積が所定以上かつ接触時間が第１の所定時間以上で第２の所定時間以下の場合に、前記表示部に警報メッセージを表示する制御を行い、前記タッチパネルへの接触面積が所定以上かつ接触時間が第２の所定時間より大きい場合には、前記電源部の前記表示部での表示をオフする制御を行う制御部と、を備えたことを特徴とする。
【発明の効果】
【００１０】
机の天板に埋設したタッチパネルを備えた情報処理装置において、机に座って情報処理装置の電源をオンにしたままで机に顔などを伏せて居眠りをする場合に、低温火傷を防止することが可能になる。
【図面の簡単な説明】
【００１１】
【図１】実施の形態１の学習机を示す図
【図２】実施の形態１の大型タブレットＰＣのブロック図
【図３】実施の形態１の低温火傷防止処理を説明するフローチャート
【発明を実施するための形態】
【００１２】
以下に、本発明の実施の形態について、図面を参照しながら説明する。
【００１３】
（実施の形態１）
図１は本実施形態の学習机を示す図である。１０１は学習机、１０２は机の天板に埋設された、タッチパネルの操作機能付大型タブレットＰＣ、１０３はタブレットＰＣ１０２の主電源スイッチである。主電源スイッチ１０３の電源を入れた状態で、ユーザーが机の上で居眠りをしてしまった際、低温火傷防止対策が必要になる。
【００１４】
図２は本実施形態の大型タブレットＰＣ１０２のブロック図である。２０１は入力操作を受け付けるタッチパネルであり表示機能を備え、一般的なタブレット端末やスマートフォンなどで使用されているものと同様のものである。タッチパネル２０１でユーザーが行ったタッチ操作は、センサーＩＣ２０２によって接触位置の検出が行われ、ＣＰＵ２０３に検出した結果を通知することで認識される。本実施の形態では、多点同時検出可能なセンサーＩＣを用いることにより、接触されている面積と接触時間をＣＰＵ２０３で求める。
【００１５】
あらかじめ設定された面積Ｄ１以上で、予め設定した接触時間Ｔ１、Ｔ２（但し、Ｔ１＜Ｔ２）を超えた場合に居眠りをしていると判断する。居眠りをしていると判断した場合、接触時間がＴ１を超えるとＣＰＵ２０３はタッチパネル２０１へ警告メッセージを表示する制御を行い、さらに接触時間がＴ２を超えると電源回路２０４に制御信号を送り電源をオフにする制御を行う。
【００１６】
なお、タブレットＰＣ１０２は、より低温火傷防止効果を高めるために、タッチパネル２０１の発熱を防止するためにタッチパネル２０１の表示を停止するだけでなく、その他周辺回路２０５に対しても省電力モードやシャットダウンなど発熱を抑えるモードに移行する制御を備えていてもよい。
【００１７】
図３は低温火傷防止処理を説明するフローチャートである。ユーザーがタッチパネル２０１に接触した場合、センサーＩＣ２０２より割り込み通知がＣＰＵ２０３に対して発生し、接触位置が検出される（Ｓ３１）。ＣＰＵ２０３は接触されている経過時間Ｔを計測するためＣＰＵ２０３に内蔵されるタイマーをＯＮする（Ｓ３２）。ＣＰＵ２０３は同時に検出している全ての接触点座標との比較を行い、タッチパネル２０１が腕などで覆われている面積を導き出し、予め設定された居眠り検出閾値面積Ｄ１と比較する。閾値面積Ｄ１未満の場合は、タイマーをＯＦＦし（Ｓ３４）、低温火傷防止処理を終了する。閾値面積Ｄ１以上の場合は接触経過時間を測定しているタイマーの値ＴをＴ１、Ｔ２（但し、Ｔ１＜Ｔ２）と比較する（Ｓ３５）。ここでＴ１は警告メッセージを出すまでの時間であり、Ｔ２は低温火傷対策が必要となるまでの時間であり、機器の放熱性や消費電力などにより、それぞれ予め設定登録されているものである。経過時間ＴがＴ１より小さい場合は接触面積と経過時間を測定するループを継続する。経過時間ＴがＴ１以上でＴ２以下の場合は警告メッセージを表示し（Ｓ３６）、上記ループを継続する。経過時間ＴがＴ２より大きい場合は電源をオフし（Ｓ３７）、低温火傷防止対策が実施され、処理が終了される。
【００１８】
なお、本実施の形態では居眠り検出後、タッチパネル２０１全体の電源を切っているが、検出された面積と位置によっては部分的にタッチパネル２０１の光源を切ることなどによって、複数人で使用される大型机へのタッチパネル実装に対しても応用することが可能である。
【００１９】
また、本実施の形態はユーザーのタッチパネル２０１への接触を検出する低温火傷防止を目的として説明したが、ユーザーではなく、机の上、すなわちタッチパネル２０１に置かれた本などの物体の面積と位置を検出し、表示が遮られている部分の光源を切ることで低温火傷防止だけではなく、省電力効果も得ることができる。
【産業上の利用可能性】
【００２０】
本発明は、学習用途等の机の天板に埋設したタッチパネルを備えた情報処理装置として利用可能である。
【符号の説明】
【００２１】
１０１  学習机
１０２  大型タブレットＰＣ
１０３  主電源スイッチ
２０１  タッチパネル
２０２  センサーＩＣ
２０３  ＣＰＵ
２０４  電源回路
２０５  その他周辺回路
【図２】
2014067345.tif 000003
【図３】
2014067345.tif 000004
【図１】
2014067345.tif 000005